(57)【特許請求の範囲】
【請求項１】
矩形状のレンズ座板に支持された交換レンズを収納する交換レンズの収納ケースに於いて、
前記収納ケースはケース本体と該ケース本体に開閉自在な蓋とから成り、前記ケース本体の内壁面には前記レンズ座板の下縁部と左右の縁部とが嵌入される溝部及び交換レンズの前面を保護するプロテクタプレートが嵌入される溝部が一体成形され、前記蓋の内側には該蓋の閉時に前記レンズ座板の上縁部が嵌入する溝部が一体成形されていることを特徴とする交換レンズの収納ケース。
【請求項２】
前記蓋はヒンジ部を介してケース本体に開閉自在に取り付けられると共に、該ケース本体、蓋、及び前記ヒンジ部は一体成形されていることを特徴とする請求項１記載の交換レンズの収納ケース。
【請求項３】
前記ケース本体側の溝部及び前記蓋側の溝部は、それぞれ所定間隔で複数形成されていることを特徴とする請求項１記載の交換レンズの収納ケース。
【請求項４】
前記ケース本体、前記蓋、及び前記ヒンジ部はエラストマーで一体成形されていることを特徴とする請求項２記載の交換レンズの収納ケース。
【請求項５】
前記蓋は、ケース本体と該蓋とに各々に設けられた止め具を嵌着することによりロックされ、蓋側に設けられた止め具は蓋と一体成形されていることを特徴とする請求項２記載の交換レンズの収納ケース。
【請求項６】
前記ケース本体の底面には脚部が突出形成されると共に、前記蓋の上面には前記脚部が係合可能な凹部が形成されていることを特徴とする請求項１に記載の交換レンズの収納ケース。
【発明の詳細な説明】
【０００１】
【産業上の利用分野】
本発明は交換レンズの収納ケースに係り、特に大判カメラの交換レンズを収納する交換レンズの収納ケースに関する。
【０００２】
【従来の技術】
交換レンズの収納ケースは、ケース本体と蓋とが別体でケース本体にヒンジを介して蓋が開閉自在に設けられている。また、ケース本体と蓋との芯材は木製の板材であり、その表面にナイロンシートが被覆されている。ケース本体内には、交換レンズの収納方向に複数の溝がリブ状に形成された支持部材が固着され、この支持部材の溝のうち交換レンズの大きさに合った溝に交換レンズのレンズ座板の縁部を嵌入して交換レンズを収納している。
【０００３】
【発明が解決しようとする課題】
しかしながら、従来の交換レンズの収納ケースは、ケース本体、蓋、ヒンジ、及び支持部材が別体なので、部品点数が多く組み立てに時間がかかり製造コストが高いという欠点がある。
また、従来の交換レンズの収納ケースは、複数の収納ケースを積み重ねて携帯したり保管したりする場合、不安定で転倒してしまうという欠点がある。
【０００４】
本発明はこのような事情に鑑みてなされたもので、部品点数が少なく製造コストが安価で、安定して積み重ねることができる交換レンズの収納ケースを提供することを目的とする。
【０００５】
【課題を解決する為の手段】
本発明は、前記目的を達成する為に、矩形状のレンズ座板に支持された交換レンズを収納する交換レンズの収納ケースに於いて、前記収納ケースはケース本体と該ケース本体に開閉自在な蓋とから成り、前記ケース本体の内壁面には前記レンズ座板の下縁部と左右の縁部とが嵌入される溝部及び交換レンズの前面を保護するプロテクタプレートが嵌入される溝部が一体成形され、前記蓋の内側には該蓋の閉時に前記レンズ座板の上縁部が嵌入する溝部が一体成形されていることを特徴とする。
【０００６】
本発明は、前記目的を達成する為に、交換レンズを収納する交換レンズの収納ケースに於いて、前記収納ケースはケース本体と該ケース本体に開閉自在な蓋とから成り、前記ケース本体の底面には脚部が突出形成されると共に、前記蓋の上面には前記脚部が係合可能な凹部が形成されていることを特徴とする。
【０００７】
【作用】
請求項１記載の発明によれば、ケース本体の内壁面に、レンズ座板の下縁部と左右の縁部とが嵌入する溝部を一体成形すると共に、蓋の内側に、蓋の閉時にレンズ座板の上縁部が嵌入する溝部を一体成形して部品点数を削減している。
請求項２記載の発明によれば、ケース本体、蓋、及びヒンジ部を一体成形し、収納ケースの組み立て作業を無くしている。
【０００８】
請求項３記載の発明によれば、ケース本体側の溝部と蓋側の溝部とを所定間隔で複数形成して、種々の大きさの交換レンズに対応させるようにしている。
請求項４記載の発明によれば、ケース本体、蓋、及びヒンジ部をエラストマーで一体成形することにより収納ケースの耐衝撃性を向上させ、収納された交換レンズを衝撃から保護するようにしている。
【０００９】
請求項５記載の発明によれば、蓋側の止め具を蓋と一体成形して部品点数を削減している。
請求項６記載の発明によれば、蓋の上面に形成された凹部に、ケース本体の底面に形成された脚部を係合させることにより、複数台の収納ケースを安定して積み重ねできるようにしている。
【００１０】
【実施例】
以下添付図面に従って本発明に係る交換レンズの収納ケースの好ましい実施例について詳説する。
先ず、本発明に係る交換レンズの収納ケースに収納される交換レンズについて説明する。図６に示すように交換レンズ１は、シャッターチャージ機構及び絞り機構が内蔵された大判カメラ用の交換レンズであり、カメラ本体２に蛇腹３を介して連結された前部フレーム４に矩形状のレンズ座板５を介して着脱自在に取り付けられる。前記交換レンズ１はレンズ座板５に支持され、このレンズ座板５の下縁部を前部フレーム４側のフック６に載置し、そして、上部をバックル７でカメラ本体２側に押さえ付けることによりカメラ側に固定される。また、交換レンズ１は、レンズ座板５に支持された状態で収納ケースに収納される。
【００１１】
図１は、本発明に係る交換レンズの収納ケースの外観を示す斜視図である。
同図に示すように、収納ケース１０はケース本体１２と蓋１４とによって直方体形状の箱型に形成される。前記ケース本体１２と蓋１４とは図２に示すように、各々の一方側の短辺縁部がヒンジ部１６によって連結されており、このヒンジ部１６によって蓋１４がケース本体１２に開閉自在に支持される。また、一方の止め具を構成する凸状金属片１８がケース本体１２側に固着され、他方の止め具を構成する凹状金属片２０が蓋１４側に設けられている。この凹状金属片２０は、蓋１４の短辺縁部に延出形成された舌状片２２に固着され、蓋１４を閉じて前記凸状金属片１８に嵌着される。これにより、蓋１４の開放が阻止される。本実施例のケース本体１２、蓋１４、ヒンジ部１６、及び舌状片２２は合成ゴム系、若しくはプラスチック系のエラストマーで一体成形され、弾性と耐衝撃性とを有している。
【００１２】
図２に於いてケース本体１２の内壁面には、凹状に形成された多数の溝２４、２４…が一定間隔で複数に形成される。前記溝２４は、ケース本体１２の底面内壁にケース本体１２の長手方向に沿った底溝２４Ａと、この底溝２４Ａの両端に連設されてケース本体１２の奥行き方向に沿った壁溝２４Ｂ、２４Ｃとから成りケース本体１２と一体成形される。
【００１３】
前記底溝２４Ａの長さと壁溝２４Ｂ、２４Ｃの高さとは、交換レンズ１を支持したレンズ座板５をケース本体１２内で保持できるように設定されており、即ち、底溝２４Ａは、レンズ座板５の下縁部５Ａを嵌入できる長さに設定され、また、壁溝２４Ｂ、２４Ｃはレンズ座板５の左縁部５Ｂ、右縁部５Ｃを嵌入できる高さに設定されている。従って、交換レンズ１は、レンズ座板５の左右の縁部５Ｂ、５Ｃを壁溝２４Ｂ、２４Ｃに沿って押し込み、レンズ座板５の下縁部５Ａを底溝２４Ａに嵌入することによりケース本体１２に収納される（図３参照）。符号２６で示すプレートは、交換レンズ１の収納時に交換レンズ１の前面を保護するプロテクタプレートである。このプロテクタプレート２６は、レンズ座板５と同じ大きさに形成され、交換レンズ１をケース本体１２に収納した後、交換レンズ１の前面に対応した溝２４に嵌入される（図３参照）。
【００１４】
図２に於いて蓋１４の内側には、凹状に形成された多数の溝２８、２８…が一定間隔で複数に形成される。前記溝２８は、蓋１４の閉時にケース本体１２側の溝２４と連通するように溝２４、２４…の形成間隔と等しい間隔で形成される。前記溝２８は、蓋１４の上面内壁に蓋１４の長手方向に沿った上溝２８Ａと、この上溝２８Ａの両端に連設されて蓋１４の奥行き方向に沿った壁溝２８Ｂ、２８Ｃとから成り蓋１４と一体成形される。即ち、蓋１４を閉じると底溝２８Ａは、レンズ座板５の上縁部５Ｄに嵌入し、壁溝２８Ｂはレンズ座板５の左縁部５Ｂの上隅部に嵌入し、壁溝２８Ｃはレンズ座板５の右縁部５Ｃの上隅部に嵌入する。従って、蓋１４を閉じると交換レンズ１は、ケース本体１２側の溝２４と蓋１４側の溝２８とによって収納ケース１０にガタ無く収納される。
【００１５】
このように構成された本実施例の収納ケース１０によれば、ケース本体１２、蓋１４、ヒンジ部１６、及び溝２４、２８を一体成形したので、ケース本体や蓋等を別体で構成した従来の収納ケースと比較して、組み立てが不要になり製造コストが安価になる。
また、本実施例の収納ケース１０は、耐衝撃性の高いエラストマーで一体成形しているので、外部からの衝撃力から交換レンズ１を保護することができる。
【００１６】
一方、図１に示すように本実施例の収納ケース１０には、蓋１４の上部短辺縁部に膨出部３０、３０が形成され、この膨出部３０、３０の両側に凹状の溝３２、３２が各々形成される。また、図４に示すようにケース本体１２の底部には、前記溝３２、３２に係合する凸状の脚部３４、３４が形成されている。従って、本実施例の収納ケース１０では図４に示すように、蓋１４側の溝３２にケース本体１２側の脚部３４を係合していくと、複数台の収納ケース１０、１０…を安定して積み重ねることができるので、複数台の収納ケース１０、１０の持ち運び時や保管時に便利である。
【００１７】
更に、図１に示すように蓋１４の上面に、収納ケース１０に収納される交換レンズ１の型番が印刷されたラベル３６を貼着すれば、蓋を開かなくても交換レンズ１の型番を収納ケース１０の外側から確認することができる。このラベル３６は、収納ケース１０に収納される交換レンズ１の型番に応じて張り替えることができる。
【００１８】
図５は、サイズの異なる収納ケース１０、４０、５０を積み重ねて保管した説明図であり、図中二点鎖線で示す収納ケース１０は図１〜図４に示した本実施例の収納ケースで小型の交換レンズ用収納ケース、図中二点鎖線で示す収納ケース４０は中型の交換レンズ用収納ケース、収納ケース５０は大型の交換レンズ用収納ケースである。
【００１９】
前記収納ケース４０、５０も収納ケース１０と同様にケース本体４２、５２、蓋４４、５４、及び図示しないヒンジ部がエラストマーで一体成形され、また、ケース本体４２、５２及び蓋４４、５４の内壁面には交換レンズのレンズ座板が嵌入される複数の溝が収納ケース１０と同様に一体成形されている。
前記収納ケース５０の蓋５４の上面には、蓋５４の長辺縁部に沿って膨出部５６、５６が形成され、この膨出部５６の両側には短めの溝５８、５８、そして膨出部５６の中央部には長めの溝６０が膨出部５６に沿ってそれぞれ形成される。前記溝５８、５８には図に示すように収納ケース１０、４０の外側の脚部３４、４６が嵌入され、前記溝６０には収納ケース１０、４０の内側の脚部３４、４６が嵌入される。これにより、収納ケース１０、４０が収納ケース５０に安定して積み重ねられる。また、収納ケース４０の蓋４４の上面には、別の収納ケース４０を積み重ねできるように溝４８、４８が形成される。
【００２０】
このように、本実施例ではサイズの異なる収納ケース１０、４０、５０でも積み重ねることによって場所を取らないで保管することができ、また携帯時にも便利である。
本実施例では、ケース本体１２、蓋１４、及びヒンジ部１６を一体に成形した収納ケースについて説明したが、ケース本体１２と蓋１４とを別体に成形し、ケース本体１２と蓋１４とを他のヒンジ手段で連結しても良い。
【００２１】
本実施例では、大判カメラ用の交換レンズが収納される収納ケースについて説明したが、この交換レンズに限られるものではなく、他の形式のカメラの交換レンズでも収納することができる。
【００２２】
【発明の効果】
以上説明したように本発明に係る交換レンズの収納ケースによれば、レンズ座板の下縁部と左右の縁部とが嵌入する溝部をケース本体の内壁面に一体成形すると共に、レンズ座板の上縁部が嵌入する溝部を蓋の内壁面に一体成形したので、部品点数が削減し製造コストが安価になる。
【００２３】
また、本発明の交換レンズの収納ケースによれば、蓋の上面に凹部を形成し、ケース本体の底面に前記凹部と係合する脚部を形成したので、複数台の収納ケースを安定して積み重ねできる。
【図面の簡単な説明】
【図１】本発明に係る交換レンズの収納ケースの外観を示す斜視図
【図２】蓋が開放されたケース本体に交換レンズを収納する状態を示す説明図
【図３】ケース本体に交換レンズが収納された状態を示す説明図
【図４】交換レンズの収納ケースが積み重ねられた状態を示す正面図
【図５】サイズの異なる収納ケースが積み重ねられた状態を示す斜視図
【図６】交換レンズと大判カメラの説明図
【符号の説明】
１…交換レンズ
５…レンズ座板
１０…収納ケース
１２…ケース本体
１４…蓋
１６…ヒンジ部
２４、２８…溝
３２…溝
３４…脚部
【図１】
0003580383.tif 000002
【図２】
0003580383.tif 000003
【図３】
0003580383.tif 000004
【図４】
0003580383.tif 000005
【図５】
0003580383.tif 000006
【図６】
0003580383.tif 000007